(57)【要約】【課題】横編機を用いて無縫製に編成された着用時に美しいシルエットが得られるラグラン袖のニットウェアの編成方法およびそのニットウェアを提供する。【解決手段】横編機を用いて編成されるラグラン袖を有するニットウェアの編成方法であって、後身頃の身丈を前身頃の身丈よりも長く形成する。身頃と袖を編成しながら、袖と前身頃とを接合し、袖と後身頃とを接合する。袖と前身頃との接合が完了した後は、一方の袖の前後の境界を前後一対の針床の間に位置させた状態で、一方の袖のネックホール形成部分を引き返し編成により編幅を減らしながら後身頃とともに編成し、一方の袖と後身頃とを接合するステップ1と、他方の袖の前後の境界を前後一対の針床の間に位置させた状態で、他方の袖のネックホール形成部分を引き返し編成により編幅を減らしながら後身頃とともに編成し、他方の袖と後身頃とを接合するステップ２とを繰り返し行う。【選択図】図１
2005113329.tif 000002
【特許請求の範囲】
【請求項１】
左右方向に延び、かつ、前後方向に互いに対向する少なくとも前後一対の針床を有し、前後の針床の少なくとも一方が左右にラッキング可能で、前後の針床間で編目の目移しが可能な横編機を用いて編成されるラグラン袖を有するニットウェアの編成方法であって、
後身頃の身丈を前身頃の身丈よりも長く形成するとともに、
身頃と袖を編成しながら、袖と前身頃とを接合し、袖と後身頃とを接合して、
袖と前身頃との接合が完了した後は、
一方の袖の前後の境界を前記前後一対の針床の間に位置させた状態で、
一方の袖のネックホール形成部分を引き返し編成により編幅を減らしながら後身頃とともに編成し、一方の袖と後身頃とを接合するステップ1と、
他方の袖の前後の境界を前記前後一対の針床の間に位置させた状態で、
他方の袖のネックホール形成部分を引き返し編成により編幅を減らしながら後身頃とともに編成し、他方の袖と後身頃とを接合するステップ２とを繰り返し行うことを特徴とするラグラン袖を有するニットウェアの編成方法。
【請求項２】
前記ステップ１は、
身頃と左右の少なくとも一方の袖を、横編機上で一方の方向に回転させて、一方の袖の前後の境界を前記前後一対の針床の間に位置させた状態で、
後身頃と一方の袖とを編成しながら一方の袖と後身頃とを接合する編成を、
前記ステップ２は、
身頃と左右の少なくとも他方の袖を、横編機上で前記方向と反対方向に回転させて、他方の袖の前後の境界を前記前後一対の針床の間に位置させた状態で、
後身頃と他方の袖とを編成しながら他方の袖と後身頃とを接合する編成を含むようにしている請求項１に記載のラグラン袖を有するニットウェアの編成方法。
【請求項３】
前後の身頃と袖のうち少なくとも前側編地に襠部分を形成し、前後の編地に襠部分が形成される場合には、前身頃および袖の前側部分の襠部分を、後身頃および袖の後側部分の襠部分よりも大きく編成し、
袖と前身頃との接合が完了するまでの編成は、
身頃と左右の少なくとも一方の袖を、横編機上で一方の方向に回転させて、一方の袖の前後の境界を前記前後一対の針床の間に位置させた状態で、
身頃と一方の袖とを編成しながら一方の袖と身頃とを接合するステップａと、
身頃と左右の少なくとも他方の袖を、横編機上で前記方向と反対方向に回転させて、他方の袖の前後の境界を前記前後一対の針床の間に位置させた状態で、
身頃と他方の袖とを編成しながら他方の袖と身頃とを接合するステップｂとを繰り返すようにしている請求項１または請求項２に記載のラグラン袖を有するニットウェアの編成方法。
【請求項４】
左右方向に延び、かつ、前後方向に互いに対向する少なくとも前後一対の針床を有し、前後の針床の少なくとも一方が左右にラッキング可能で、前後の針床間で編目の目移しが可能な横編機を用いて筒状の袖および脇部を有する身頃が無縫製で編成され、身頃と袖が無縫製で接合されたラグラン袖を有するニットウェアであって、
後身頃の身丈が前身頃の身丈よりも長く形成されるとともに、
袖のネックホール形成部分が引き返し編成により傾斜状に形成されていることを特徴とするラグラン袖を有するニットウェア。
【請求項５】
前後の身頃と袖のうち少なくとも前側編地に襠部分が形成され、前後の編地に襠部分が形成される場合には、前身頃および袖の前側部分の襠部分が、後身頃および袖の後側部分の襠部分よりも大きく形成されていることを特徴とする請求項４に記載のラグラン袖を有するニットウェア。
【発明の詳細な説明】
【技術分野】
【０００１】
本発明は、ラグラン袖を有するニットウェアの編成方法およびラグラン袖を有するニットウェアに関する。
【背景技術】
【０００２】
一般に、ラグラン袖のニットウェアは、特許文献１の第４図に示すように、前後の身頃を、裾部と脇部と脇部の上端部からネックホールに向けて直線状に傾斜させて形成される傾斜ライン部とを有するように編成している。袖は、ニットウェア装着時に腕と肩を覆うように編成され、身頃の傾斜ライン部と接合させる接合ライン部を有し、袖の上端部にはネックホールの一部が形成される。
【０００３】
例えばラグラン袖のセーターの場合、図１４に示すように、前身頃91、後身頃92の裾から袖ぐり下部の襠94手前までの範囲Ａの部分について、前身頃91、後身頃92と両袖93をそれぞれ筒状に編成していく。そして、袖ぐりの下部の襠94部分を編成した後、この襠94部分から傾斜ライン部95に沿って前身頃のネックホール手前までの範囲Ｂについて、前身頃91、後身頃92と袖93を接合しながら一つの筒状に編成していく。ネックホールが形成されはじめると、いわゆるＣ字の折り返し編成を行いながら、前身頃91、後身頃92と袖93を接合していく（範囲Ｃ）。前身頃91、後身頃92と袖93の接合が完了すると、前身頃91と後身頃92と袖93の上端部により連続したネックホールが完成する。
【０００４】
【特許文献１】特公平４−１５３０１号公報（第４図）
【発明の開示】
【発明が解決しようとする課題】
【０００５】
ところで、ニットウェアを横編機を用いて無縫製で作製する場合、横編機の前後の針床を用いて後側編地と前側編地とを連続させた筒状に編成する。例えば、前後２枚の針床を有する横編機で袖を有する筒状のニットウェアを編成する場合、針床の針を一つ置きに用いて編成するのであって、前身頃と前側袖部を主として前針床の奇数針を用いて編成し、後身頃と後側袖部を主として後針床の偶数針を用いて編成する。
【０００６】
このとき、編地の形状が前後で非対称（編幅が異なる）であると、前側編地の編み幅端部の編目が後針床の偶数針に目移しされたまま、その編目の上に編目が形成される場合が出てくる。このように編目が形成されると、目移しされた前側編地の編目が捻れた状態で形成されてしまい外観が悪くなる。
【０００７】
そのため、横編機を用いる場合には、前側編地と後側編地の左右の境界部分は常に前後の針床の間に位置させた状態で編目を形成する必要がある。
【０００８】
そこで、前側編地と後側編地の境界部分が常に前後の針床の間に位置された状態にするには、前後の編地の編み幅を常に同じ幅にしながら編成する必要がある。ラグラン袖のニットウェアの場合も、図１４に示すように、前身頃91と後身頃92は、胴部の幅、傾斜ライン部の幅、そして、身丈は同じ長さとし、袖93も前後の編地部は前後の境界線に対して同じ形状としている。
【０００９】
しかしながら、ラグラン袖のニットウェアの場合、前後の編地の幅を同じにして前身頃のネックホールの刳りを大きくすると、出来上がったセーターを着用したときに後身頃のネックホールが大きく下がった状態となってしまう。また、後のネックホールの下がりを少なくしようとして、前身頃のネックホールの刳りを小さくすると、出来上がったセーターを着用したとき、傾斜ライン部が肩近くまで上がった状態となる。
【００１０】
本発明は以上の実情に鑑みて開発したものであって、横編機を用いて無縫製に編成された着用時に美しいシルエットが得られるラグラン袖のニットウェアの編成方法およびそのニットウェアを提供することを目的とする。
【課題を解決するための手段】
【００１１】
本発明のラグラン袖を有するニットウェアの編成方法は、左右方向に延び、かつ、前後方向に互いに対向する少なくとも前後一対の針床を有し、前後の針床の少なくとも一方が左右にラッキング可能で、前後の針床間で編目の目移しが可能な横編機を用いて編成されるラグラン袖を有するニットウェアの編成方法である。
【００１２】
即ち、本発明の編成方法は、まず、後身頃の身丈を前身頃の身丈よりも長く形成する。そして、身頃と袖を編成しながら、袖と前身頃とを接合し、袖と後身頃とを接合していく。
【００１３】
さらに、袖と前身頃との接合が完了した後は、以下に示すステップ１とステップ２とを繰り返して行なう。ステップ１は、一方の袖の前後の境界を前記前後一対の針床の間に位置させた状態で、一方の袖のネックホール形成部分を引き返し編成により編幅を減らしながら後身頃を編成し、一方の袖と後身頃とを接合する。ステップ２は、他方の袖の前後の境界を前記前後一対の針床の間に位置させた状態で、他方の袖のネックホール形成部分を引き返し編成により編幅を減らしながら後身頃を編成し、他方の袖と後身頃とを接合する。
【００１４】
このように、編成することにより、ニットウェアを着用したときに、ネックホールの後側が下がることなく、ネックホールの前側の刳りを大きくでき、しかも、身頃の傾斜ライン部も肩より下がった位置から脇にかけて延びるようにすることができる。
【００１５】
特に、前記ステップ１は、身頃と左右の少なくとも一方の袖を、横編機上で一方の方向に回転させて、一方の袖の前後の境界を前記前後一対の針床の間に位置させた状態で、後身頃と一方の袖とを編成しながら一方の袖と後身頃とを接合する編成を含むようにすることができる。また、前記ステップ２も、身頃と左右の少なくとも他方の袖を、横編機上で前記方向と反対方向に回転させて、他方の袖の前後の境界を前記前後一対の針床の間に位置させた状態で、後身頃と他方の袖とを編成しながら他方の袖と後身頃とを接合する編成を含むようにすることができる。
【００１６】
このように回し込みを行ないながら編成することにより、袖の部分に捻れ目が形成されることがないので、編地の外観をより美しくすることができる。
【００１７】
さらに、本発明のラグラン袖を有するニットウェアの編成方法は、前後の身頃と袖のうち少なくとも前側編地に襠部分を形成し、前後の編地に襠部分が形成される場合には、前身頃および袖の前側部分の襠部分を、後身頃および袖の後側部分の襠部分よりも大きく編成することが好ましい。
【００１８】
このとき、袖と前身頃との接合が完了するまでの編成は、身頃と左右の少なくとも一方の袖を、横編機上で一方の方向に回転させて、一方の袖の前後の境界を前記前後一対の針床の間に位置させた状態で、身頃と一方の袖とを編成しながら一方の袖と身頃とを接合するステップａと、身頃と左右の少なくとも他方の袖を、横編機上で前記方向と反対方向に回転させて、他方の袖の前後の境界を前記前後一対の針床の間に位置させた状態で、身頃と他方の袖とを編成しながら他方の袖と身頃とを接合するステップｂとを繰り返すようにする。
【００１９】
このように襠を形成する編成を行うことにより、袖が身頃に対して前方に延びた状態で袖と身頃とが接合されるので、ニットウェア着用時のシルエットがより美しくなる。
【００２０】
さらに、本発明のラグラン袖を有するニットウェアは、左右方向に延び、かつ、前後方向に互いに対向する少なくとも前後一対の針床を有し、前後の針床の少なくとも一方が左右にラッキング可能で、前後の針床間で編目の目移しが可能な横編機を用いて筒状の袖および脇部を有する身頃が無縫製で編成され、身頃と袖が無縫製で接合されるものであり、後身頃の身丈が前身頃の身丈よりも長く形成されるとともに、袖のネックホール形成部分が引き返し編成により傾斜状に形成されていることを特徴とする。
【００２１】
本発明のニットウェアは、着用時にネックホールの後側が下がることなく、ネックホールの前側の刳りを大きくできる。しかも、身頃の傾斜ライン部も肩より下がった位置から脇にかけて延びた状態になる。
【００２２】
このとき、前後の身頃と袖のうち少なくとも前側編地に襠部分が形成され、前後の編地に襠部分が形成される場合には、前身頃および袖の前側部分の襠部分が、後身頃および袖の後側部分の襠部分よりも大きく形成することが好ましい。このように前後で大きさの異なる襠を形成することにより、ニットウェア着用時のシルエットがより美しくなる。
【発明を実施するための最良の形態】
【００２３】
以下、本発明にかかるラグラン袖を有するニットウェアおよびその編成方法についての実施形態を図面に基づいて説明する。
【００２４】
本実施形態は、左右方向に延び、かつ、前後方向に互いに対向する前後一対の針床を有し、後針床が左右にラッキング可能で、しかも、前後の針床間で編目の目移しが可能ないわゆる２枚ベッドの横編機を用いてニットウェアを編成する。
【００２５】
２枚ベッドの横編機は、筒状のニットウェアを編成する場合、前後の各針床においてそれぞれ１本おきの針を用いて編成を行うようにしている。例えば、前針床の奇数番目の針を主として前身頃や袖の前部などのニットウェアの前側部分の編地を編成するために用い、後針床の偶数番目の針を主として後身頃や袖の後部などのニットウェアの後側部分を編成するために用いる。
【００２６】
さらに、前後の針床は、一方の針床の編成用に用いられる針に対向する他方の針床の針を空針としており、この空針を目移しやリブ編み等をするために用いるようになっている。
【００２７】
これら空針を用いることにより、リンクス、ガーター、リブなどの表目と裏目が混在した組織柄を編成したり、袖や身頃の編目をコース方向に移動させて互いに接合することができるようになっている。
【００２８】
また、２枚ベッドの横編機を用いる場合、前後針床の一方または両方の上位にトランスファージャックを列設したトランスファージャックベッドを設けて編地を編成するようにしてもよい。
【００２９】
なお、本実施形態では、２枚ベッドの横編機を用いてニットウェアを編成するようにしているが、本発明は、上部前針床、下部前針床、上部後針床、そして下部後針床からなる４枚ベッドの横編機を用いて編成することもできる。
【００３０】
４枚ベッドの横編機を用いる場合には、例えば、下部前針床に編地の前側部分を付属させ、下部後針床に編地の後側部分を付属させる。そして、上部後針床を前側部分の編地を編成する際の空針として前側部分の編地の目移し等に用い、上部前針床を後側部分の編地を編成する際の空針として後側部分の編地の目移し等に用いる。
【００３１】
（第１実施形態）
まず、本発明の好適な実施の形態の一つとしての第１実施形態について図１から図６に基づいて説明する。
【００３２】
第１実施形態は、上記２枚ベッドの横編機を用いて、ニットウェアを構成する身頃部、袖部を継ぎ目の無い連続した筒状となるように編成し、これら身頃部と袖部とを無縫製で接合する方法およびこの方法で製作されたニットウェアを示す。
【００３３】
図１は、本発明の編成方法で編成されるニットウェアのセーター1について身頃部、袖部のパーツ平面図である。図２は図１におけるＢ部分の編成を行う際の編成工程図を示す。図３は図１におけるＣ部分の編成を行う際の編成工程図を示す。図４は図１におけるＤ部分の編成を行う際の編成工程図を示す。図５は図１におけるＤ部分の編成を行う際の編成工程図であって、図４の編成の後に行う編成工程図を示す。図６は図１におけるＥ部分の編成を行う際の編成工程図を示す。
【００３４】
本実施形態で編成されるセーター1は、丸首のネックホールを有する長袖タイプのラグラン袖を有するセーターで、前身頃部2、後身頃部3、右袖部4、左袖部5を有している。各身頃部2,3は、図１に示すように、裾部61、脇部62、襠部63、傾斜ライン部64、ネックホール部65（65a,65b）を有している。前身頃部2と後身頃部3とは、図１において、編成範囲Ｂより上方の形状が異なる。傾斜ライン部64は、ネックホール部65から襠部63まで傾斜して延びている。
【００３５】
さらに、前身頃部2と後身頃部3は、裾部61、脇部62、襠部63、ネックホール部65が形成されるまでの傾斜ライン部64までは、同じ形状をしており、後身頃部3は、前身頃部2のネックホール部65aよりも上方が長くなるよう形成される。
【００３６】
左右の袖部4,5は、図１に示すように、袖口部71、襠部72、傾斜ライン接合部73、ネックホール形成部74を有している。各袖部4,5は、袖口部71からネックホール形成部74に至るまでは図１に示す前後の中心線ｘに対して対称の形をしているが、ネックホール形成部74は、前側部分の端部において引き返し編成することによりネックホール形成部74は傾斜した状態になっている。
【００３７】
本実施形態では、図１に示すように、身頃部2,3の裾部61から襠部63までと、袖部4,5の袖口部71から襠部72までの編成範囲Ａについては、身頃部2,3と袖部4,5とが個別に筒状に編成される。
【００３８】
そして、身頃部2,3の襠部63と袖部4,5の襠部72とを接合することにより、一つの筒状体が編成される。この襠部63、72からネックホールが形成されるまでの編成範囲Ｂについては、身頃部2,3と袖部4,5とを編成しながら、身頃部2,3と袖部4,5とが接合されていく。
【００３９】
そして、前身頃部2のネックホール部65aが形成され始めると、前身頃部2の編成が完了するまでの編成範囲Ｃにおいては、前身頃部2は、左前身頃部22と右前身頃部21とに分かれる。そして身頃部2,3と袖部4,5とが編成されながら、各身頃部2,3と袖部4,5とが接合されていく。
【００４０】
前身頃部2の編成が完了した後は、袖部4,5と後身頃部3とを編成しながら、袖部4,5と後身頃部3とが接合されていく。このとき、袖部4,5のネックホール形成部74は、袖部4,5を前側部分から後側部分へと袖の幅が狭くなっていくように編成することにより傾斜状に形成される。図１では、袖部4,5の前側部分の編成が完了するまでの編成範囲をＤとし、袖部4,5の前側部分の編成が完了した後の編成範囲をＥで示している。
【００４１】
そして、袖部4,5と身頃部2,3との接合が完了すると身頃部2,3のネックホール部65と袖部4,5のネックホール形成部74とにより連続したネックホールが形成される。なお、本実施形態および次の第２実施形態において、身頃や袖の左右を表す用語、例えば、左袖部5や右袖部4などの右と左は、セーター1を着用した状態の着用者を基準にしている。
【００４２】
本第１実施形態のセーター1の編成手順について詳しく説明する。本実施形態では、後身頃部3、右袖後部42、左袖後部52は、主として後針床上の偶数番目の針を使用して編成され、前身頃部2、右袖前部41、左袖前部51は、主として前針床上の奇数番目の針を使用して編成される。
【００４３】
また、本実施形態および第２実施形態では、セーター1における前身頃部2、後身頃部3および袖部4,5の編み組織は、説明の便宜上、平編みの無地とし、身頃部2,3の裾部61と袖部4,5の袖口部71はリブ編としているが、前身頃部2、後身頃部3および袖部4,5は、ジャガードやリブ等の組織柄のものであってもよい。
【００４４】
まず、身頃編成用と袖編成用にそれぞれ用意した給糸口（図示せず）から編糸を前側編地編成用の各針に供給した後、給糸口を反転させて後側編地編成用の各針へ編糸を供給する編成を繰り返して、筒状体の身頃と左右の筒状体の袖とを編成していく。
【００４５】
この筒状編成は、図１における編成範囲Ａにおいて行なわれ、前身頃部2と後身頃部3とは、裾部61から襠部63まで筒状に編成していく。左袖前部51と左袖後部52、右袖前部41と右袖後部42は、袖口部71から襠部72まで筒状に編成していく。なお、裾部61と袖口部71はゴム編で編成する。
【００４６】
セーター1は、前身頃部2の襠部63が、左袖前部51および右袖前部41の襠部72と接合され、後身頃部3の襠部63が、左袖後部52および右袖後部42の襠部72と接合される。身頃部2,3に左右の袖部4,5が接合され始めたときに、身頃部2,3と袖部4,5とが統合されて１つの筒状体となる。襠部同士が接合されると、図２に示すステップ1の状態となる。なお、図２から図６に示す編成工程図は、下から上に向けて編成工程順序が表されている。
【００４７】
そして、編成範囲Ｂにおいて、身頃部2,3と袖部4,5とが編成されながら、身頃部2,3の傾斜ライン部64と袖部4,5の傾斜ライン接合部73とが接合されていく。この編成範囲Ｂの編成は図２に示すように、まず、ステップ１の状態から後針床Bにおいて右袖後部42、後身頃部3、左袖後部52を１コース編成する（ステップ２）。この状態から、前針床Fにおいて左袖前部51、前身頃部2、右袖前部41を１コース編成する（ステップ３）。そして、ステップ２とステップ３と同じ動作を繰り返す。
【００４８】
なお、編成工程図において、mは前身頃部2と袖部4,5との境界を、nは後身頃部3と袖部4,5との境界を、h1は右袖部4の前後の境界を、h2は左袖部5の前後の境界を示している。
【００４９】
右袖後部42と右袖前部41の編目を一目ずつ、左袖後部52と左袖前部51の編目を一目ずつ前後の身頃部2,3の端部の編目に接合する（ステップ４）。この接合は、袖部の編地を反対側の針床に移し、編地を２針分内側に移動させて、元の針床に戻すことにより行なう。接合後、右袖後部42、後身頃部3、左袖後部52を１コース編成する（ステップ５）。この状態から、左袖前部51、前身頃部2、右袖前部41を１コース編成する（ステップ６）。
【００５０】
そして、ステップ５およびステップ６と同じ動作を繰り返した後、前身頃部2の両端部の編目と後身頃部3の両端部の編目を一目ずつ減らす（ステップ７）。これによって前後の身頃部2,3の編み幅が２目減少する。続いて前記ステップ２からステップ７と同じ動作を繰り返し行う。
【００５１】
このように前後の編地について２コース編成を行った後に、袖部4,5の編目を身頃部2,3に接合し、さらに、前後の編地について２コース編成を行った後に、身頃部2,3の編目を減らす編成を繰り返して編成範囲Ｂの編成が完了するとステップ８の状態となる。
【００５２】
次に編成範囲Ｃの編成について図３を用いて説明する。前記したステップ８の状態において、前身頃部2の中央部分がネックホール部65aの一部となり、この部分を、前針床Fの針に係止させたまま（図３のステップ８）、身頃部2,3と袖部4,5を編成しながら接合していく。
【００５３】
まず、後針床Bにおいて、右袖後部42、後身頃部3、左袖後部52を１コース編成する（ステップ９）。次に、前針床Fにおいて左袖前部51と左前身頃部22とを２コース編成する（ステップ１０）。後針床Bにおいて、左袖後部52、後身頃部3、右袖後部42を１コース編成する（ステップ１１）。
【００５４】
左袖後部52と左袖前部51の編目を一目ずつ前後の身頃部2,3の端部の編目に接合する（ステップ１２）。この接合は、袖部の編地を反対側の針床に移し、編地を２針分内側に移動させて、元の針床に戻すことにより行なう。
【００５５】
次に、前針床Fにおいて右袖前部41と右前身頃部21とを２コース編成する（ステップ１３）。後針床Bにおいて、右袖後部42、後身頃部3、左袖後部52を１コース編成する（ステップ１４）。右袖後部42と右袖前部41の編目を一目ずつ前後の身頃部2,3の端部の編目に接合する（ステップ１５）。この接合も、袖部の編地を反対側の針床に移し、編地を２針分内側に移動させて、元の針床に戻すことにより行なう。
【００５６】
前針床Fにおいて左袖前部51と左前身頃部22とを引き返し編成する（ステップ１６）。この引き返し編成により、左前身頃部22の編幅を減らしながらネックホール部65が形成されていく。後針床Bにおいて、左袖後部52、後身頃部3、右袖後部42を１コース編成する（ステップ１７）。前身頃部2の左側端部の編目と後身頃部3の左側端部の編目を一目ずつ減らす（ステップ１８）。
【００５７】
前針床Fにおいて右袖前部41と右前身頃部21とを引き返し編成する（ステップ１９）。この引き返し編成により、右前身頃部21の編幅を減らしながらネックホール部65が形成されていく。後針床Bにおいて、右袖後部42、後身頃部3、左袖後部52を１コース編成する（ステップ２０）。前身頃部2の右側端部の編目と後身頃部3の右側端部の編目を一目ずつ減らす（ステップ２１）。
【００５８】
そして、続いてステップ１０からステップ２１と同じ動作を繰り返し行う。
このように、ステップ９からステップ２１までの動作を編成範囲Ｃの編成が完了するまで繰り返し行うと、ステップ２２に示す状態になり、前針床Fに係止されている前身頃部2の編目が全てネックホール部65aとなる。
【００５９】
ステップ２２の状態から図４および図５に示す編成範囲Ｄの編成工程に移る。なお、図４は、説明の便宜上、図３に示すステップ２２よりも編地の幅を広げて記載している。編成範囲Ｄでは、前身頃部2の編目の全てを前針床Fの針に預けたまま、袖部4,5と後身頃部3の編成を行いながら、袖部4,5を後身頃部3に接合していく。
【００６０】
まず、図４に示すステップ２２の状態から、左袖前部51を２コース編成し（ステップ２３）、続いて左袖後部52を２コース編成する（ステップ２４）。次に、左袖前部51を引き返し編成し、左袖前部51の編成用編目を減らしてネックホール形成部74となる編目を針に預けたままにする（ステップ２５）。左袖後部52の編目を一目後身頃部3の端部の編目に接合する（ステップ２６）。
【００６１】
左袖後部52と後身頃部3とを２コース編成する(ステップ２７)。後身頃部3の左側端部の編目を一目減らす（ステップ２８）。この目減らしによりステップ２９の状態になる。ステップ２９における点ａは、左袖前部51の編成部分とネックホール形成部74との境界を示す。
【００６２】
次に、右袖前部41を２コース編成し（ステップ３０）、続いて右袖後部42を２コース編成する（ステップ３１）。次に、右袖前部41を引き返し編成し、右袖前部41の編成用編目を減らしてネックホール形成部74となる編目を針に預けたままにする（ステップ３２）。右袖後部42の編目を一目後身頃部3の端部の編目に接合する（ステップ３３）。
【００６３】
右袖後部42と後身頃部3とを２コース編成する(ステップ３４)。後身頃部3の右側端部の編目を一目減らす（ステップ３５）。この目減らしによりステップ３６の状態になる。ステップ３６における点ｂは、右袖前部41の編成部分とネックホール形成部74との境界を示す。
【００６４】
次に、図５に示すように、ステップ３６の状態から、編地全体を時計回りに回転させる回し込みを行い、左袖部5の前後の境界h2を前後の針床の針床間に位置させる（ステップ３７）。この結果、左袖部5の最終コースにおいて編目の捻れは発生しなくなる。
【００６５】
そして、ステップ３７の状態から、左袖前部51を２コース編成し（ステップ３８）、続いて左袖後部52を２コース編成する（ステップ３９）。次に、左袖前部51を引き返し編成し、左袖前部51の編成用編目を減らしてネックホール形成部74となる編目を針に預けたままにする（ステップ４０）。左袖後部52の編目を一目後身頃部3の端部の編目に接合する（ステップ４１）。左袖後部52と後身頃部3とを２コース編成する(ステップ４２)。後身頃部3の左側端部の編目を一目減らす（ステップ４３）。この目減らしによりステップ４４の状態になる。
【００６６】
次に、ステップ４４の状態から、編地全体を反時計回りに回転させる回し込みを行い、右袖部4の前後の境界h1を前後の針床の針床間に位置させる（ステップ４５）。この結果、右袖部4の最終コースにおいても編目の捻れは発生しなくなる。
【００６７】
この状態から、右袖前部41を２コース編成し（ステップ４６）、続いて右袖後部42を２コース編成する（ステップ４７）。次に、右袖前部41を引き返し編成し、右袖前部41の編成用編目を減らしてネックホール形成部74となる編目を針に預けたままにする（ステップ４８）。右袖後部42の編目を一目後身頃部3の端部の編目に接合する（ステップ４９）。右袖後部42と後身頃部3とを２コース編成する(ステップ５０)。後身頃部3の右側端部の編目を一目減らす（ステップ５１）。この目減らしによりステップ５２の状態になる。
【００６８】
そして、編成範囲Ｄの編成が完了するまで、ステップ３７からステップ５２の動作を繰り返し行い、ステップ５３の状態となる。ステップ５３では、前針床Fに係止されている前身頃部2の編目の全てがネックホール部65aに、左右の袖前部41,51の編目の全てがネックホール形成部74となる。
【００６９】
ステップ５３の状態から図６に示す編成範囲Ｅの編成工程に移る。編成範囲Ｅでは、前身頃部2の編目の全てと左右の袖前部41,51の編目を針床に預けたまま、袖後部42,52と後身頃部3の編成を行いながら、袖後部42,52を後身頃部3に接合していく。なお、図６は、説明の便宜上、図５に示すステップ５３よりも編地の幅を広げて記載している。
【００７０】
図６に示す編成工程Ｅの編成は、ステップ５３の状態から、後針床Bにおいて左袖後部52、後身頃部3、右袖後部42について２コース編成する（ステップ５４）。右袖後部42の編目を一目だけ後身頃部3の端部の編目に接合する（ステップ５５）。左袖後部52、後身頃部3、右袖後部42について１コース編成する（ステップ５６）。左袖後部52の編目を一目だけ後身頃部3の端部の編目に接合する（ステップ５７）。右袖後部42、後身頃部3、左袖後部52について１コース編成する（ステップ５８）。後身頃部3の右側端部の編目を一目減らす（ステップ５９）。左袖後部52、後身頃部3、右袖後部42について１コース編成する（ステップ６０）。後身頃部3の左側端部の編目を一目減らす（ステップ６１）。右袖後部42、後身頃部3、左袖後部52について１コース編成する（ステップ６２）。
【００７１】
そして、編成範囲Ｅの編成が終了するまで、ステップ５５からステップ６２の動作を繰り返す。編成範囲Ｅの編成が終了するとステップ６３の状態になり、前身頃部2のネックホール部65aと後身頃部3のネックホール部65bと左右の袖部4,5のネックホール形成部74により連続したネックホールが完成される。本実施形態では、前身頃部2のネックホール部65aの長さが後身頃部3のネックホール部65bの長さよりも長くなった状態になる。そして、ネックホールの完成後、衿部を編成してセーターが完成する。
【００７２】
なお、図６に示す編成では、１コース編成ごとに左右片方ずつ目を減らす動作を行なったが、目移しの回数をできるだけ少なくするように編成してもよい。具体的には、左右の袖部の前側編地の一方、例えば左袖部について、後針床に係止されている左袖の前側編地の編目の全てを前針床に目移したままにする。この状態で、さらに、左袖の後側編地と後身頃部を前針床に目移して後針床に係止されている右袖部を左袖側にラッキングして左袖の後側編地と後身頃部を後針床に戻して右袖部と後身頃部を接合する。この際に、前針床に係止されている右袖部の端の目を後針床に移しておく。
さらに、後身頃部と袖部の後側編地を編成し、左袖の後側編地のみを前針床に目移して後針床に係止されている右袖部と後身頃部を左袖側にラッキングして左袖の後側編地を後針床に戻して左袖部と後身頃部を接合する。この際に、前針床に係止されている右袖部の端の目を後針床に移しておく。
【００７３】
また、ラッキングの振り量に上限があるため、途中からは、前針床に預けられていた左袖部の前側編地の編目を後ろ針床に戻して、今度は、右袖部に対して、同じように編目の目移しを行ない、反対方向へラッキングしながら編成と接合を行うようにしてもよい。
このように編成と接合を繰り返すことにより、同じ目が何度も目移しされることが少なくなり、編目の損傷をできるだけ少なくできる。
第１実施形態によれば、ニットウェアの着用時において、前身頃のネックホールの刳りが大きくなり、後身頃のネックホールの下がりがなくなる。
【００７４】
（第２実施形態）
次に第２実施形態について図７から図１０に基づいて説明する。
【００７５】
第２実施形態も、２枚ベッドの横編機を用いて編成する。第２実施形態は、第１実施形態の構成に加えて、前身頃部2と袖前部41,51に設ける襠部63a,72aの長さを、後身頃部3と袖後部42,52に設ける襠部63b,72bの長さよりも長くしている。
【００７６】
図７は、第２実施形態にかかるニットウェアのセーター1について身頃部、袖部のパーツ平面図である。図７において、右袖部については省略している。図８は図７におけるＢ部分の編成を行う際の編成工程図を示す。図９は図７におけるＣ部分の編成を行う際の編成工程図を示す。図１０は図７におけるＤ部分の編成を行う際の編成工程図を示す。
【００７７】
本実施形態で編成されるセーター1も、丸首のネックホールを有する長袖タイプのラグラン袖を有するセーターで、前身頃部2、後身頃部3、右袖部4、左袖部5を有している。各身頃部2,3は、図７に示すように、裾部61、脇部62、襠部63a,63b、傾斜ライン部64、ネックホール部65を有している。前身頃部2と後身頃部3とは、図７において、襠部63a,63bよりも上方において編幅と身丈の長さが異なる。傾斜ライン部64は、襠部63a,63bからネックホール部65まで傾斜して延びている。
【００７８】
さらに、前身頃部2と後身頃部3は、傾斜ライン部64の傾斜角度は同じであるが、前身頃部2の編幅が後身頃部3よりも狭くなるように前側の襠部63aの大きさを後側の襠部63bよりも大きくしている。そして、前記第１実施形態と同様に、後身頃部3は、前身頃部2のネックホール部65aよりも上方が長くなるように形成されている。
【００７９】
左右の袖部4,5は、図７に示すように、袖口部71、襠部72a,72b、傾斜ライン接合部73、ネックホール形成部74を有している。各袖部4,5は、袖口部71から襠部72a,72bに至るまでは図７に示す前後の中心線ｘに対して対称の形をしているが、袖前部41,51の襠部72aの大きさを袖後部42,52の襠部72bの大きさよりも大きくしているので、袖前部41,51の編幅が袖後部42,52の編幅よりも狭くなっている。さらに、ネックホール形成部74は、前側編地部分の端部において引き返し編成することによりネックホール形成部74は傾斜した状態になっている。
【００８０】
本実施形態においても、図７に示すように、身頃部2,3の裾部61から襠部63a,63bまでと、袖部4,5の袖口部71から襠部72a,72bまでの編成範囲Ａについては、身頃部2,3と袖部4,5とが個別に筒状に編成される。
【００８１】
そして、身頃部2,3の襠部63a,63bと袖部4,5の襠部72a,72bとを接合することにより、一つの筒状体が編成される。これら襠部63a,63b,72a,72bからネックホールが形成され始まるまでの編成範囲Ｂについては、身頃部2,3と袖部4,5とを編成しながら、身頃部2,3と袖部4,5とが接合されていく。
【００８２】
そして、前身頃部2のネックホール部65aが形成され始めると、前身頃部2の編成が完了するまでの編成範囲Ｃにおいては、前身頃部2は、左前身頃部22と右前身頃部21とに分かれる。そして身頃部2,3と袖部4,5とが編成されながら、各身頃部2,3と袖部4,5とが接合されていく。
【００８３】
前身頃部2の編成が完了した後は、袖部4,5と後身頃部3とを編成しながら、袖部4,5と後身頃部3とが接合されていく。このとき、袖部4,5のネックホール形成部74は、前側部分から後側部分へと袖の幅が狭くなっていくように編成することにより傾斜状に形成される。図７では、袖前部41,51の編成が完了するまでの編成範囲をＤとし、袖前部41,51の編成が完了した後の編成範囲をＥで示している。そして、袖部4,5と身頃部2,3との接合が完了すると身頃部2,3のネックホール部65と袖部4,5のネックホール形成部74とにより連続したネックホールが形成される。
【００８４】
次に本第２実施形態のセーター1の編成手順について詳しく説明する。まず、身頃編成用と袖編成用にそれぞれ用意した給糸口（図示せず）から編糸を前側編地編成用の各針に供給した後、給糸口を反転させて後側編地編成用の各針へ編糸を供給する編成を繰り返して、筒状体の身頃と左右の筒状体の袖とを編成していく。
【００８５】
この筒状編成は、図７における編成範囲Ａにおいて行なわれ、前身頃部2と後身頃部3とは、裾部61から襠部63a,63bまで筒状に編成していく。左袖前部51と左袖後部52、右袖前部41と右袖後部42は、袖口部71から襠部72a,72bまで筒状に編成していく。
【００８６】
セーター1は、前身頃部2の襠部63aが、左袖前部51および右袖前部41の襠部72aと接合され、後身頃部3の襠部63bが、左袖後部52および右袖後部42の襠部72bと接合される。身頃部2,3に左右の袖部4,5が接合され始めたときに、身頃部2,3と袖部4,5とが統合されて１つの筒状体となる。襠部同士が接合されると、図８に示すステップ1の状態となる。
【００８７】
そして、編成範囲Ｂにおいて、身頃部2,3と袖部4,5とが編成されながら、身頃部2,3の傾斜ライン部64と袖部4,5の傾斜ライン接合部73とが接合されていく。この編成範囲Ｂの編成は図８に示すように、まず、ステップ１の状態から編地全体を反時計回りに回転させる回し込みを行い、左袖部5の前後の境界h2を前後の針床の針床間に位置させる（ステップ２）。この結果、左袖部5の最終コースにおいて編目の捻れは発生しなくなる。
【００８８】
そして、ステップ２の状態から、左袖前部51を２コース編成し（ステップ３）、続いて左袖後部52を２コース編成する（ステップ４）。左袖前部51と左袖後部52の編目を一目ずつ前後の身頃部2,3の端部の編目に接合する（ステップ５）。次に、左袖前部51と前身頃部2を２コース編成する（ステップ６）。
【００８９】
左袖後部52と後身頃部3とを２コース編成する(ステップ７)。前身頃部2と後身頃部3の左側端部の編目を一目ずつ減らす（ステップ８）。この目減らしによりステップ９の状態になる。次に、ステップ９の状態から、編地全体を時計回りに回転させる回し込みを行い、右袖部4の前後の境界h1を前後の針床の針床間に位置させる（ステップ１０）。この結果、右袖部4の最終コースにおいても編目の捻れは発生しなくなる。
【００９０】
この状態から、右袖前部41を２コース編成し（ステップ１１）、続いて右袖後部42を２コース編成する（ステップ１２）。右袖前部41と右袖後部42の編目を一目ずつ前後の身頃部2,3の端部の編目に接合する（ステップ１３）。
【００９１】
次に、右袖前部41と前身頃部2を２コース編成する（ステップ１４）。右袖後部42と後身頃部3とを２コース編成する(ステップ１５)。前身頃部2と後身頃部3の右側端部の編目を一目ずつ減らす（ステップ１６）。この目減らしによりステップ１７の状態になる。
【００９２】
そして、編成範囲Ｂの編成が完了するまで、ステップ２からステップ１７の動作を繰り返し行い、ステップ１８の状態となる。
【００９３】
次に編成範囲Ｃの編成について図９を用いて説明する。前記したステップ１８の状態において、前身頃部2の中央部分がネックホール部65aの一部となり、この部分を、前針床Fの針に預けたまま（図９のステップ１８）、身頃部2,3と袖部4,5を編成しながら接合していく。
【００９４】
まず、図９に示すように、ステップ１８の状態から、編地全体を反時計回りに回転させる回し込みを行い、左袖部5の前後の境界h2を前後の針床の針床間に位置させる（ステップ１９）。この結果、左袖部5の最終コースにおいて編目の捻れは発生しなくなる。
【００９５】
そして、ステップ１９の状態から、左袖前部51と左前身頃部22とを２コース編成し（ステップ２０）、続いて左袖後部52を２コース編成する（ステップ２１）。左袖前部51と左袖後部52の編目を一目ずつ前後の身頃部2,3の端部の編目に接合する（ステップ２２）。次に、左袖前部51と左前身頃部22を引き返し編成し、左前身頃部22の編成用編目を減らしてネックホール部65となる編目を針に預けたままにする（ステップ２３）。
【００９６】
左袖後部52と後身頃部3とを２コース編成する(ステップ２４)。前身頃部2と後身頃部3の左側端部の編目を一目ずつ減らす（ステップ２５）。この目減らしによりステップ２６の状態になる。次に、ステップ２６の状態から、編地全体を時計回りに回転させる回し込みを行い、右袖部4の前後の境界h1を前後の針床の針床間に位置させる（ステップ２７）。この結果、右袖部4の最終コースにおいても編目の捻れは発生しなくなる。
【００９７】
この状態から、右袖前部41と右前身頃部21を２コース編成し（ステップ２８）、続いて右袖後部42を２コース編成する（ステップ２９）。右袖前部41と右袖後部42の編目を一目ずつ前後の身頃部2,3の端部の編目に接合する（ステップ３０）。
【００９８】
次に、右袖前部41と右前身頃部21を引き返し編成し、右前身頃部21の編成用編目を減らしてネックホール部65となる編目を針に預けたままにする（ステップ３１）。右袖後部42と後身頃部3とを２コース編成する(ステップ３２)。前身頃部2と後身頃部3の右側端部の編目を一目ずつ減らす（ステップ３３）。この目減らしによりステップ３４の状態になる。
【００９９】
そして、編成範囲Ｃの編成が完了するまで、ステップ１９からステップ３４の動作を繰り返し行い、ステップ３５の状態となる。ステップ３５では、前針床Fに係止されている前身頃部2の編目の全てがネックホール部65aとなる。
【０１００】
ステップ３５の状態から図１０に示す編成範囲Ｄの編成工程に移る。なお、図１０は、説明の便宜上、図９に示すステップ３５よりも編地の幅を広げて記載している。編成範囲Ｄでは、前身頃部2の編目の全てを前針床Fに預けたまま、袖部4,5と後身頃部3の編成を行いながら、袖部4,5を後身頃部3に接合していく。
【０１０１】
まず、図１０に示すステップ３５の状態から、編地全体を反時計回りに回転させる回し込みを行い、左袖部5の前後の境界h2を前後の針床の針床間に位置させる（ステップ３６）。この結果、左袖部5の最終コースにおいて編目の捻れは発生しなくなる。
【０１０２】
そして、ステップ３６の状態から、左袖前部51を２コース編成し（ステップ３７）、続いて左袖後部52を２コース編成する（ステップ３８）。左袖後部52の編目を一目後身頃部3の端部の編目に接合する（ステップ３９）。左袖前部51を引き返し編成し、左袖前部51の編成用編目を減らしてネックホール形成部74となる編目を針に預けたままにする（ステップ４０）。左袖後部52と後身頃部3とを２コース編成する(ステップ４１)。後身頃部3の左側端部の編目を一目減らす（ステップ４２）。この目減らしによりステップ４３の状態になる。
【０１０３】
次に、ステップ４３の状態から、編地全体を時計回りに回転させる回し込みを行い、右袖部4の前後の境界h1を前後の針床の針床間に位置させる（ステップ４４）。この結果、右袖部4の最終コースにおいても編目の捻れは発生しなくなる。
【０１０４】
この状態から、右袖前部41を２コース編成し（ステップ４５）、続いて右袖後部42を２コース編成する（ステップ４６）。右袖後部42の編目を一目後身頃部3の端部の編目に接合する（ステップ４７）。右袖前部41を引き返し編成し、右袖前部41の編成用編目を減らしてネックホール形成部74となる編目を針に預けたままにする（ステップ４８）。右袖後部42と後身頃部3とを２コース編成する(ステップ４９)。後身頃部3の右側端部の編目を一目減らす（ステップ５０）。この目減らしによりステップ５１の状態になる。
【０１０５】
そして、編成範囲Ｄの編成が完了するまで、図１０に示すステップ３６からステップ５１の動作を繰り返し行い、ステップ５２の状態となる。ステップ５２では、前針床Fに係止されている前身頃部2の編目の全てがネックホール部65に、左右の袖前部41,51の編目の全てがネックホール形成部74となる。
【０１０６】
ステップ５２の状態から図７に示す編成範囲Ｅの編成工程に移る。編成範囲Ｅは、前記第１実施形態と同じ編成を行うので説明を省略する。
【０１０７】
第２実施形態では、着用時にネックホールの後側の下がりを無くすことができながら、前編地の襠を後編地の襠よりも大きくすることにより、袖が身頃に対して斜め前方に延びた状態で袖と身頃とが接合されるので、ニットウェア着用時のシルエットがより美しくなる。
【０１０８】
また、本発明のラグラン袖を有するニットウェアおよびその編成方法では、図１１から図１３に示す他の実施形態のように前後の身頃部2,3の大きさおよび形状をさまざまなものにすることもできる。
【０１０９】
例えば図１１に示す第３実施形態では、ネックホールが完成した時点で、（ｂ）に示すように袖部5の前後の境界h2が前後の針床の間に位置するように前後の身頃部2,3の大きさを設定している。
【０１１０】
また、図１２に示す第４実施形態では、ネックホールが完成した時点で、（ｂ）に示すように袖部5の前後の境界h2が前針床上に位置するように前後の身頃部2,3の大きさを設定している。
【０１１１】
また、図１３に示す第５実施形態では、前記した第２実施形態のようにネックホールが完成した時点で、（ｂ）に示すように袖部5の前後の境界h2が後針床上に位置するように前後の身頃部2,3の大きさを設定するのであるが、後身頃部と前身頃部との身丈の差を第２実施形態より大きくとるようにしている。
さらに、本発明は、脇より上方の肩周りに、隣接する編目同士を重ね合わせた接合ラインが衿首用開口を中心として放射状に広がる、いわゆるパラシュート柄を有するニットウェアにおいても実施可能である。
【産業上の利用可能性】
【０１１２】
本発明は、ラグラン袖を有するニットウェアを横編機を用いて無縫製で編成する場合に適している。
【図面の簡単な説明】
【０１１３】
【図１】本発明にかかるニットウェアの第１実施形態であって、セーターについて身頃部、袖部のパーツ平面図である。
【図２】本発明にかかる第１実施形態にかかるニットウェアの編成工程図であって、図１におけるＢ部分の編成を行う際の編成工程図を示す。
【図３】本発明にかかる第１実施形態にかかるニットウェアの編成工程図であって、図１におけるＣ部分の編成を行う際の編成工程図を示す。
【図４】本発明にかかる第１実施形態にかかるニットウェアの編成工程図であって、図１におけるＤ部分の編成を行う際の編成工程図を示す。
【図５】本発明にかかる第１実施形態にかかるニットウェアの編成工程図であって、図４の編成の後に行うＤ部分の編成工程図を示す。
【図６】本発明にかかる第１実施形態にかかるニットウェアの編成工程図であって、図１におけるＥ部分の編成を行う際の編成工程図を示す。
【図７】本発明にかかるニットウェアの第２実施形態であって、セーターについて身頃部、袖部のパーツ平面図である。
【図８】本発明にかかる第２実施形態にかかるニットウェアの編成工程図であって、図７におけるＢ部分の編成を行う際の編成工程図を示す。
【図９】本発明にかかる第２実施形態にかかるニットウェアの編成工程図であって、図７におけるＣ部分の編成を行う際の編成工程図を示す。
【図１０】本発明にかかる第２実施形態にかかるニットウェアの編成工程図であって、図７におけるＤ部分の編成を行う際の編成工程図を示す。
【図１１】本発明にかかる第３実施形態であって、（ａ）は前後の身頃部の上部を示し、（ｂ）は編成完了時の左袖の針床における状態を示す。
【図１２】本発明にかかる第４実施形態であって、（ａ）は前後の身頃部の上部を示し、（ｂ）は編成完了時の左袖の針床における状態を示す。
【図１３】本発明にかかる第５実施形態であって、（ａ）は前後の身頃部の上部を示し、（ｂ）は編成完了時の左袖の針床における状態を示す。
【図１４】従来のラグラン袖を有するセーターの身頃部、袖部のパーツ平面図である。
【符号の説明】
【０１１４】
1  セーター        
2  前身頃部      21  右前身頃部      22  左前身頃部
3  後身頃部
4  右袖部        41  右袖前部        42  右袖後部
5  左袖部        51  左袖前部        52  左袖後部
61  裾部      62  脇部      
63  襠部      63a  前襠部      63b  後襠部
64  傾斜ライン部
65  ネックホール部    
65a  前身頃部のネックホール部    65b  後身頃部ネックホール部
71  袖口部      
72  襠部      72a  前襠部      72b  後襠部
73  傾斜ライン接合部
74  ネックホール形成部
【図１】
2005113329.tif 000003
【図２】
2005113329.tif 000004
【図３】
2005113329.tif 000005
【図４】
2005113329.tif 000006
【図５】
2005113329.tif 000007
【図６】
2005113329.tif 000008
【図７】
2005113329.tif 000009
【図８】
2005113329.tif 000010
【図９】
2005113329.tif 000011
【図１０】
2005113329.tif 000012
【図１１】
2005113329.tif 000013
【図１２】
2005113329.tif 000014
【図１３】
2005113329.tif 000015
【図１４】
2005113329.tif 000016